(57)【要約】      （修正有）【課題】室内で傘を干しても床を濡らすことがなく、床のスペースをとることもない、傘の乾燥装置を提供する。【解決手段】傘の複数の露先に掛止される複数の掛止部２と、傘の石突きから落ちる水を受ける水受け部３と、複数の掛止部２から水受け部３へ連繋されて、水受け部３を複数の露先に間接的に保持させる、複数の連繋手段４と、を備える。さらに、水受け部３は、逆椀状部３１と管状部３２とを有する漏斗状に形成されるとともに、管状部３２の外周には雄ネジ溝３２ａが螺刻されて、ペットボトル５が螺合できるようになっている。【選択図】図１
2019203648.tif 000002
【特許請求の範囲】
【請求項１】
傘の複数の露先に掛止される複数の掛止部と、
傘の石突きから落ちる水を受ける水受け部と、
複数の前記掛止部から前記水受け部へ連繋されて、前記水受け部を複数の前記露先に保持させる、複数の連繋手段と、を備える、傘の乾燥装置。
【請求項２】
前記水受け部は、逆椀状部と管状部とを有する漏斗状に形成されるとともに、前記管状部の外周には雄ネジ溝が螺刻されて、ペットボトルが螺合できるようになっている、請求項１に記載された傘の乾燥装置。
【請求項３】
前記連繋手段の長さ方向にみて、少なくとも長傘用の位置及び折り畳み傘用の２箇所に前記掛止部が配置されている、請求項１又は請求項２に記載された傘の乾燥装置。
【請求項４】
前記水受け部の前記管状部に螺合されたペットボトルをさらに備える、請求項２乃至請求項４のいずれか一項に記載された傘の乾燥装置。
【請求項５】
請求項２乃至請求項４のいずれか一項に記載された傘の乾燥装置の使用方法であって、
前記水受け部の前記管状部にペットボトルを螺合させるステップと、
複数の前記掛止部を前記傘の複数の前記露先に掛止させるステップと、
前記傘のハンドルを所定の場所に掛けて、傘の乾燥装置を吊るすステップと、を備える傘の乾燥装置の使用方法。
【発明の詳細な説明】
【技術分野】
【０００１】
本発明は、濡れた傘を室内において乾燥させるための傘の乾燥装置に関するものである。
【背景技術】
【０００２】
従来、雨天時に傘を使用した後に、一人暮らしのワンルーム等の狭い部屋に帰って来ると、濡れた傘の置き場所に困る場合がある。玄関の傘立てに濡れた傘を閉じたまま置くと生乾きで異臭が残ったり、乾いたとしても受け皿に水が溜まったりして不衛生である。一方、タオルで拭いた後に浴室、部屋等に置くこともできるが、作業が面倒なうえにタオルを洗濯する必要があったり、部屋が狭くなったりするという問題がある。
【０００３】
また、例えば特許文献１には、傘を開いた状態で台上にセットし、最大４本または５本の傘を同時に干すことができる省スペースの傘干し台が開示されている。この傘干し台であれば、多少の風では傘が飛ばされることもなくしっかり保持し、屋外、屋内どちらでも使用できる、とされている。
【先行技術文献】
【特許文献】
【０００４】
【特許文献１】特開２０１７−１４４１９８号公報
【発明の概要】
【発明が解決しようとする課題】
【０００５】
しかしながら、特許文献１の傘干し台は、複数本の傘を干すことができるものの、傘から滴り落ちる水については考慮されていない。したがって、特許文献１の傘干し台を室内で使用した場合、傘から滴り落ちた水によって床が濡れてしまうことになる。さらに、干されている傘の下方のスペースは利用することができない。
【０００６】
そこで、本発明は、室内で傘を干しても床を濡らすことがなく、床のスペースをとることもない、傘の乾燥装置を提供することを目的としている。
【課題を解決するための手段】
【０００７】
前記目的を達成するために、本発明の傘の乾燥装置は、傘の複数の露先に掛止される複数の掛止部と、傘の石突きから落ちる水を受ける水受け部と、複数の前記掛止部から前記水受け部へ連繋されて、前記水受け部を複数の前記露先に保持させる、複数の連繋バンドと、を備えている。
【０００８】
また、本発明の傘の乾燥装置の使用方法は、前述した傘の乾燥装置の使用方法であって、前記水受け部の前記管状部にペットボトルを螺合させるステップと、複数の前記掛止部を前記傘の複数の前記露先に掛止させるステップと、前記傘のハンドルを所定の場所に掛けて、傘の乾燥装置を吊るすステップと、を備えている。
【発明の効果】
【０００９】
このように、本発明の傘の乾燥装置は、複数の掛止部と、水受け部と、複数の連繋バンドと、を備えている。このような構成であれば、室内で傘を干しても床を濡らすことがなく、床のスペースをとることもない、傘の乾燥装置となる。
【００１０】
また、本発明の傘の乾燥装置の使用方法は、水受け部の管状部にペットボトルを螺合させるステップと、複数の掛止部を傘の複数の露先に掛止させるステップと、傘のハンドルを所定の場所に掛けて、傘の乾燥装置を吊るすステップと、を備えている。このような構成であれば、室内で傘を干しても床を濡らすことがなく、床のスペースをとることもない、傘の乾燥装置の使用方法となる。
【図面の簡単な説明】
【００１１】
【図１】傘の乾燥装置の斜視図である。
【図２】傘の乾燥装置を閉じた状態の長傘に適用した状態の斜視図である。
【図３】傘の乾燥装置を開いた状態の長傘に適用した状態の斜視図である。
【図４】傘の乾燥装置を閉じた状態の折り畳み傘に適用した状態の斜視図である。
【図５】傘の乾燥装置を開いた状態の折り畳み傘に適用した状態の斜視図である。
【発明を実施するための形態】
【００１２】
以下、本発明の実施の形態について図面を参照して説明する。各図では、説明の便宜のために、一部の構成を透過して記載している。なお、以下に説明する実施例は、例示であり、本発明を実施例の内容に限定するものではない。ここでは、傘９０として長傘に本発明の傘の乾燥装置を適用する場合について説明するが、後述するように、折り畳み傘（９０Ａ）に本発明の傘の乾燥装置を適用することもできる。
【００１３】
ここにおいて、長傘である傘９０は、中棒（シャフト）９１と、中棒９１の先端の石突き９２と、中棒９１の基端のハンドル９３と、放射状に広がる複数の親骨９４、・・・及び受骨９５、・・・と、親骨９４、・・・の先端の露先９６、・・・と、表面に張られる生地９７と、によって主に構成されている（図２、図３参照）。
【実施例】
【００１４】
（構成）
はじめに、図１を用いて、本実施例の傘の乾燥装置１の構成について説明する。傘の乾燥装置１は、傘９０の複数の露先９６、・・・に掛止される複数の掛止部２、・・・と、傘９０の石突き９２から落ちる水を受ける水受け部３と、複数の掛止部２、・・・から水受け部３へ連繋されて、水受け部３を複数の露先９６、・・・に間接的に保持させる、複数の連繋手段としての紐４、・・・と、を備えている。
【００１５】
掛止部２は、本実施例では剛性樹脂製又は金属製の円環であって、連繋手段としての４本の紐４の途中に１箇所と、先端近傍に１箇所の合計２箇所配置されている。すなわち、紐４の長さ方向にみて、長傘９０用の位置である先端近傍、及び、折り畳み傘９０Ａ（後述）用の位置である途中（略中央近傍）の２箇所に掛止部２、２が配置されている。
【００１６】
さらに、様々な長さの傘に対応できるように、長傘用、折り畳み傘用のそれぞれの箇所につき、複数個所の掛止部を配置することもできる。例えば、１本の紐４について、長傘９０用に３か所の掛止部２、２、２と、折り畳み傘９０Ａ用に２箇所の掛止部２、２と、を配置することができる。
【００１７】
水受け部３は、合成樹脂製であり、逆椀状部３１と管状部３２とを一体に有する漏斗状に形成されている。さらに、管状部３２の外周には雄ネジ溝３２ａが螺刻されて、ペットボトル５が螺合できるようになっている。ペットボトル５としては、専用のものを用意してもよいが、市販のものを転用することが好ましい。
【００１８】
そして、水受け部３の逆椀状部３１の周縁には、中心角９０度ずつ等間隔に離されて４本の連繋手段としての紐４、・・・が連結されている。なお、水受け部３に連結される連繋手段の数は４本に限定されるものではなく、３本以上であればよく、もちろん５本以上であってもよい。
【００１９】
連繋手段としての紐４は、水受け部３の逆椀状部３１に連結されるものである。そして、４本の紐４、・・・の長さは同一の長さにされており、掛止部２、・・・を介して傘９０から吊り下げられた状態で、中央下部の水受け部３が長傘９０の石突き９２の直下に位置するようにされている。なお、前述したように、紐４には、長傘９０用、及び、折り畳み傘９０Ａ用の２箇所に掛止部２、２が配置されている。
【００２０】
なお、本実施例とは異なる構成として、連繋手段（４）及び掛止部（２）を、合成ゴムや合成樹などの素材から形成することで、連繋手段（４）と掛止部（２）を一体に成形することもできる。すなわち、連繋手段としてのベルト部材（バンド部材、紐部材）に、掛止部としての複数の孔を設けることで、両者を一体に成形することも好ましい。
【００２１】
（作用）
次に、図２〜図５を用いて、本実施例の傘の乾燥装置１の作用について説明する。まず、図２及び図３を用いて、長傘９０に傘の乾燥装置１を適用した場合について説明する。あらかじめ、水受け部３の管状部３２の外周の雄ネジ溝３２ａにペットボトル５の口を螺合させておく。
【００２２】
次に、図２に示すように、閉じられた長傘９０の上部の露先９６、・・・に、先端側にある掛止部２、・・・を掛ける。さらに、長傘９０の先端の石突き９２は、水受け部３に挿入させる。そして、ある程度、生地９７の水がきれてペットボトル５内に水が溜まるまで待つ。
【００２３】
最後に、図３に示すように、長傘９０を広げながら、長傘９０のハンドル９３を所定の場所に掛ける。そうすると、長傘９０の石突き９２の直下に水受け部３が位置するようになる。したがって、生地９７を伝わって石突き９２まで移動した水（雨水、雨滴）は、石突き９２から水受け部３に落下して、水受け部３に水が溜まることになる。
【００２４】
次に、図４及び図５を用いて、折り畳み傘９０Ａに傘の乾燥装置１を適用した場合について説明する。長傘９０の場合と同様に、あらかじめ、水受け部３の管状部３２の外周の雄ネジ溝３２ａにペットボトル５の口を螺合させておく。
【００２５】
次に、図４に示すように、閉じられた折り畳み傘９０Ａの上部の露先９６、・・・に、途中にある掛止部２、・・・を掛ける。さらに、折り畳み傘９０Ａの先端の石突き９２は、水受け部３に挿入させる。そして、ある程度、生地９７の水がきれてペットボトル５内に水が溜まるまで待つ。
【００２６】
最後に、図５に示すように、折り畳み傘９０Ａを広げながら、折り畳み傘９０Ａのハンドル９３（のストラップ）を所定の場所に掛ける。そうすると、折り畳み傘９０Ａの石突き９２の直下に水受け部３が位置するようになる。したがって、生地９７を伝わって石突き９２まで移動した水（雨水、雨滴）は、石突き９２から水受け部３に落下して、水受け部３に水が溜まることになる。
【００２７】
（効果）
次に、本実施例の傘の乾燥装置１の奏する効果を列挙して説明する。
【００２８】
（１）上述してきたように、本実施例の傘の乾燥装置１は、傘９０の複数の露先９６、・・・に掛止される複数の掛止部２、・・・と、傘９０の石突き９２から落ちる水を受ける水受け部３と、複数の掛止部２、・・・から水受け部３へ連繋されて、水受け部３を複数の露先９６、・・・に間接的に保持させる、複数の連繋手段としての紐４、・・・と、を備えている。このような構成であれば、室内で傘９０を干しても床を濡らすことがなく、床のスペースをとることもない、傘の乾燥装置１となる。
【００２９】
すなわち、水受け部３によって水を受けることで床を濡らすことがないうえ、傘９０のハンドル９３を所定の場所に吊るせば、傘９０を干しながらも、傘９０の下方のスペースを有効に利用することができる。さらに、傘９０を畳んで持ち運ぶ際にも、本発明の傘の乾燥装置１を利用すれば、床を濡らすことを防止することができる。この場合、水受け部３が小さければ、持ち運ぶ際の支障にもならないため、一般に使用されている「傘全体を覆うポリエチレン製の傘袋」等に替えて使用することもできる。
【００３０】
（２）また、水受け部３は、逆椀状部３１と管状部３２とを有する漏斗状に形成されるとともに、管状部３２の外周には雄ネジ溝３２ａが螺刻されて、ペットボトル５が螺合できるようになっているため、滴り落ちた水を貯留して後に捨てることができるうえ、ペットボトル５自体も捨てることができるため、衛生的である。
【００３１】
（３）さらに、連繋手段としての紐４の長さ方向にみて、少なくとも長傘９０用の位置及び折り畳み傘９０Ａ用の２箇所に掛止部２が配置されているため、長傘９０及び折り畳み傘９０Ａの両方に使用できるうえ、傘を閉じても開いても使用できる。
【００３２】
（４）また、水受け部３の管状部３２に螺合されたペットボトル５をさらに備えることが好ましい。なお、ペットボトル５としては、傘の乾燥装置１に専用に使用されるものであってもよいし、飲料用に購入したものを再利用してもよい。すなわち、ペットボトル５は、別売であってもよい。
【００３３】
（５）そして、本実施例の傘の乾燥装置１の使用方法は、水受け部３の管状部３２にペットボトル５を螺合させるステップと、複数の掛止部２、・・・を傘９０の複数の露先９６、・・・に掛止させるステップと、傘９０のハンドル９３を所定の場所に掛けて、傘の乾燥装置を吊るすステップと、を備えている。このような構成であれば、室内で傘９０を干しても床を濡らすことがなく、床のスペースをとることもない、傘の乾燥装置１の使用方法となる。
【００３４】
以上、図面を参照して、本発明の実施例を詳述してきたが、具体的な構成は、この実施例に限らず、本発明の要旨を逸脱しない程度の設計的変更は、本発明に含まれる。
【００３５】
例えば、実施例では、掛止部２が２箇所（長傘用及び折り畳み傘用）に配置される場合について説明したが、これに限定されるものではなく、例えば、連繋手段としてチェーンを使用すれば、チェーン自体を全長にわたって配置された掛止部とみなすこともできる。
【００３６】
また、実施例では、２段構成の折り畳み傘９０Ａに、本発明の傘の乾燥装置１を適用した場合について説明したが、これに限定されるものではなく、３段構成以上の折り畳み傘にも本発明の傘の乾燥装置１を適用できる。
【００３７】
さらに、実施例では、掛止部２、水受け部３、連繋手段（紐）４を別個に備える場合について説明したが、これに限定されるものではなく、掛止部と連繋手段を一体に成形することもできるし、掛止部と水受け部と連繋手段を一体に成形することもできる。
【符号の説明】
【００３８】
１          傘の乾燥装置
２          掛止部
３          水受け部
４          紐（連繋手段）
５          ペットボトル
９０        長傘
９０Ａ      折り畳み傘
９２        石突き
９６        露先
【図１】
2019203648.tif 000003
【図２】
2019203648.tif 000004
【図３】
2019203648.tif 000005
【図４】
2019203648.tif 000006
【図５】
2019203648.tif 000007
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
傘の複数の露先に掛止される複数の掛止部と、
傘の石突きから落ちる水を受ける水受け部と、
複数の前記掛止部から前記水受け部へ連繋されて、前記水受け部を複数の前記露先に保持させる、複数の連繋手段と、を備える、傘の乾燥装置。
【請求項２】
前記水受け部は、逆椀状部と管状部とを有する漏斗状に形成されるとともに、前記管状部の外周には雄ネジ溝が螺刻されて、ペットボトルが螺合できるようになっている、請求項１に記載された傘の乾燥装置。
【請求項３】
前記連繋手段の長さ方向にみて、少なくとも長傘用の位置及び折り畳み傘用の２箇所に前記掛止部が配置されている、請求項１又は請求項２に記載された傘の乾燥装置。
【請求項４】
前記水受け部の前記管状部に螺合されたペットボトルをさらに備える、請求項２に記載された傘の乾燥装置。
【請求項５】
請求項２に記載された傘の乾燥装置の使用方法であって、
前記水受け部の前記管状部にペットボトルを螺合させるステップと、
複数の前記掛止部を前記傘の複数の前記露先に掛止させるステップと、
前記傘のハンドルを所定の場所に掛けて、傘の乾燥装置を吊るすステップと、を備える傘の乾燥装置の使用方法。